【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
画面上に複数のメニュー項目を所定の順序で一覧表示させる表示制御装置であって、
前記順序が最初となるメニュー項目を前記画面上の最上段に表示した際に一画面上に表示される複数のメニュー項目のうち、ガイダンス表示に置き換わる第１のメニュー項目と、フォーカスされると画面上のメニュー項目がスクロールする第２のメニュー項目とを除くメニュー項目に、ガイダンスを表示するか否かを設定するための第３のメニュー項目を表示させる表示制御手段を有することを特徴とする表示制御装置。
【請求項２】
前記表示制御手段は、画面の上下方向に配置される前記複数のメニュー項目のうちの下から所定の数のメニュー項目に前記第１のメニュー項目及び前記第２のメニュー項目を表示させ、前記複数のメニュー項目のうち、前記第１のメニュー項目及び前記第２のメニュー項目を除くメニュー項目に前記第３のメニュー項目を表示させることを特徴とする請求項１に記載の表示制御装置。
【請求項３】
前記表示制御手段は、画面の上下方向に配置される前記複数のメニュー項目のうちの上から所定の数のメニュー項目に前記第１のメニュー項目及び前記第２のメニュー項目を表示させ、前記複数のメニュー項目のうち、前記第１のメニュー項目及び前記第２のメニュー項目を除くメニュー項目に前記第３のメニュー項目を表示させることを特徴とする請求項１に記載の表示制御装置。
【請求項４】
前記表示制御手段は、前記複数のメニュー項目のうちの一又は複数のメニュー項目に前記第１のメニュー項目を表示し、前記第３のメニュー項目における設定に応じて、前記第１のメニュー項目に対応する前記一又は複数のメニュー項目にガイダンスを表示させることを特徴とする請求項１乃至３の何れか１項に記載の表示制御装置。
【請求項５】
前記複数のメニュー項目が増減した場合、前記第３のメニュー項目が前記複数のメニュー項目に含まれているか否かを判定する第１の判定手段を更に有し、
前記表示制御手段は、前記第１の判定手段により前記第３のメニュー項目が前記複数のメニュー項目に含まれていないと判定された場合、前記第３のメニュー項目が前記複数のメニュー項目に含まれる位置まで前記第３のメニュー項目を移動させることを特徴とする請求項１乃至４の何れか１項に記載の表示制御装置。
【請求項６】
前記複数のメニュー項目が増減した場合、前記第３のメニュー項目が前記第１のメニュー項目に重なっているか否かを判定する第２の判定手段を更に有し、
前記表示制御手段は、前記第２の判定手段により前記第３のメニュー項目が前記第１のメニュー項目に重なっていると判定された場合、前記第３のメニュー項目が前記第１のメニュー項目に重ならない位置まで前記第３のメニュー項目を移動させることを特徴とする請求項１乃至５の何れか１項に記載の表示制御装置。
【請求項７】
前記複数のメニュー項目が増減した場合、前記第３のメニュー項目が前記第２のメニュー項目に重なっているか否かを判定する第３の判定手段を更に有し、
前記表示制御手段は、前記第３の判定手段により前記第３のメニュー項目が前記第２のメニュー項目に重なっていると判定された場合、前記第３のメニュー項目が前記第２のメニュー項目に重ならない位置まで前記第３のメニュー項目を移動させることを特徴とする請求項１乃至６の何れか１項に記載の表示制御装置。
【請求項８】
画面上に複数のメニュー項目を一覧表示させる表示制御装置であって、
一画面上に表示される複数のメニュー項目のうちの所定の位置のメニュー項目にフォーカス位置を固定し、前記複数のメニュー項目のうち、前記所定の位置のメニュー項目を除くメニュー項目にガイダンス表示に置き換わるメニュー項目を表示させ、さらに前記複数のメニュー項目のうち、前記ガイダンス表示に置き換わるメニュー項目を除くメニュー項目にガイダンスを表示するか否かを設定するためのメニュー項目を表示させる表示制御手段を有することを特徴とする表示制御装置。
【請求項９】
画面上に複数のメニュー項目を所定の順序で一覧表示させる表示制御装置の制御方法であって、
前記複数のメニュー項目のうち、ガイダンス表示に置き換わる第１のメニュー項目と、フォーカスされると画面上のメニュー項目がスクロールする第２のメニュー項目とを除くメニュー項目に、ガイダンスを表示するか否かを設定するための第３のメニュー項目を表示させる表示制御ステップを含むことを特徴とする表示制御装置の制御方法。
【請求項１０】
画面上に複数のメニュー項目を一覧表示させる表示制御装置の制御方法であって、
一画面上に表示される複数のメニュー項目のうちの所定の位置のメニュー項目にフォーカス位置を固定し、前記複数のメニュー項目のうち、前記所定の位置のメニュー項目を除くメニュー項目にガイダンス表示に置き換わるメニュー項目を表示させ、さらに前記複数のメニュー項目のうち、前記ガイダンス表示に置き換わるメニュー項目を除くメニュー項目にガイダンスを表示するか否かを設定するためのメニュー項目を表示させる表示制御ステップを含むことを特徴とする表示制御装置の制御方法。
【請求項１１】
画面上に複数のメニュー項目を所定の順序で一覧表示させる表示制御方法をコンピュータに実行させるためのプログラムであって、
前記順序が最初となるメニュー項目を前記画面上の最上段に表示した際に一画面上に表示される複数のメニュー項目のうち、ガイダンス表示に置き換わる第１のメニュー項目と、フォーカスされると画面上のメニュー項目がスクロールする第２のメニュー項目とを除くメニュー項目に、ガイダンスを表示するか否かを設定するための第３のメニュー項目を表示させる表示制御ステップをコンピュータに実行させるためのプログラム。
【請求項１２】
画面上に複数のメニュー項目を一覧表示させる表示制御方法をコンピュータに実行させるためのプログラムであって、
一画面上に表示される複数のメニュー項目のうちの所定の位置のメニュー項目にフォーカス位置を固定し、前記複数のメニュー項目のうち、前記所定の位置のメニュー項目を除くメニュー項目にガイダンス表示に置き換わるメニュー項目を表示させ、さらに前記複数のメニュー項目のうち、前記ガイダンス表示に置き換わるメニュー項目を除くメニュー項目にガイダンスを表示するか否かを設定するためのメニュー項目を表示させる表示制御ステップをコンピュータに実行させるためのプログラム。
【請求項１３】
画面上に複数のメニュー項目を所定の順序で一覧表示させる表示制御方法をコンピュータに実行させるためのプログラムを記録したコンピュータ読み取り可能な記録媒体であって、
前記順序が最初となるメニュー項目を前記画面上の最上段に表示した際に一画面上に表示される複数のメニュー項目のうち、ガイダンス表示に置き換わる第１のメニュー項目と、フォーカスされると画面上のメニュー項目がスクロールする第２のメニュー項目とを除くメニュー項目に、ガイダンスを表示するか否かを設定するための第３のメニュー項目を表示させる表示制御ステップをコンピュータに実行させるためのプログラムを記録したコンピュータ読み取り可能な記録媒体。
【請求項１４】
画面上に複数のメニュー項目を一覧表示させる表示制御方法をコンピュータに実行させるためのプログラムを記録したコンピュータ読み取り可能な記録媒体であって、
一画面上に表示される複数のメニュー項目のうちの所定の位置のメニュー項目にフォーカス位置を固定し、前記複数のメニュー項目のうち、前記所定の位置のメニュー項目を除くメニュー項目にガイダンス表示に置き換わるメニュー項目を表示させ、さらに前記複数のメニュー項目のうち、前記ガイダンス表示に置き換わるメニュー項目を除くメニュー項目にガイダンスを表示するか否かを設定するためのメニュー項目を表示させる表示制御ステップをコンピュータに実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】表示制御装置、その制御方法及びプログラム